(57)【要約】【課題】燃焼部とカセットボンベとを離して配設することができ、かつ、連結管の接続位置を変更できるようにすることを目的とする。【解決手段】カセットボンベ１０から供給されるガスを燃焼させるためのカセットボンベ用コンロ２０である。カセットボンベ用コンロ２０は、燃焼部３０と、燃焼部３０を支持する筐体２２と、筐体２２に設けられた複数の接続口部４０と、筐体２２に設けられ、複数の接続口部４０より導入されるガスを燃焼部３０に導く内部配管と、一端部がカセットボンベ１０からガスを受入れ可能に構成されると共に、他端部が接続口部４０に接続可能に構成された連結管７０とを備える。【選択図】図１
2013002644.tif 000002
【特許請求の範囲】
【請求項１】
カセットボンベから供給されるガスを燃焼させるためのカセットボンベ用コンロであって、
燃焼部と、
前記燃焼部を支持する筐体と、
前記筐体に設けられた複数の接続口部と、
前記筐体に設けられ、前記複数の接続口部より導入されるガスを前記燃焼部に導く内部配管と、
一端部が少なくとも１つのカセットボンベからガスを受入れ可能に構成されると共に、他端部が前記接続口部に接続可能に構成された少なくとも１つの連結管と、
を備えるカセットボンベ用コンロ。
【請求項２】
請求項１記載のカセットボンベ用コンロであって、
前記複数の接続口部が前記筐体の４方に設けられている、カセットボンベ用コンロ。
【請求項３】
請求項１又は請求項２記載のカセットボンベ用コンロであって、
前記筐体に設けられ、前記燃焼部の火力調整を行うための複数のつまみ部をさらに備えるカセットボンベ用コンロ。
【請求項４】
請求項３記載のカセットボンベ用コンロであって、
前記複数のつまみ部が前記筐体の４方に設けられている、カセットボンベ用コンロ。
【発明の詳細な説明】
【技術分野】
【０００１】
この発明は、カセットボンベから供給されるガスを燃焼させるカセットボンベ用コンロに関する。
【背景技術】
【０００２】
従来、カセットボンベ用コンロとして、特許文献１〜４に開示のものがある。
【０００３】
特許文献１では、燃焼部の側方に、２個のガス容器を並列配置状態で受入れる収容部が設けられている。
【０００４】
特許文献２では、燃焼部を挟む２箇所に、ガス容器を受入れる収容部が設けられている。
【０００５】
特許文献３では、火口が設けられるコンロ台の下方に、カセットボンベを着脱自在に装着可能なボンベソケットが設けられている。
【０００６】
特許文献４では、蓋体と底体とを重合することにより形成される携帯用燃焼器にガス噴射口が設けられ、この携帯用燃焼器の連結口と高圧ガス容器収束体とがガス供給連結管を介して連結されている。
【先行技術文献】
【特許文献】
【０００７】
【特許文献１】特開平７−３３２６５２号公報
【特許文献２】特開平７−３３２６５３号公報
【特許文献３】特開平９−１３７９５１号公報
【特許文献４】特公昭４１−５９８７号公報
【発明の概要】
【発明が解決しようとする課題】
【０００８】
しかしながら、特許文献１〜３では、燃焼部或は火口に対して一定位置にガス容器或はカセットボンベがセットされることになるため、使用態様によっては、ガス容器或はカセットボンベが加熱されてしまう。
【０００９】
特許文献４では、ガス噴射口と高圧ガス容器とを離して配設することができる。しかしながら、携帯用燃焼器に対するガス供給連結管の接続位置が一定であるため、使用態様によってはガス供給連結管の取り回しをうまく行えない。
【００１０】
そこで、本発明は、燃焼部とカセットボンベとを離して配設することができ、かつ、連結管の接続位置を変更できるようにすることを目的とする。
【課題を解決するための手段】
【００１１】
上記課題を解決するため、第１の態様は、カセットボンベから供給されるガスを燃焼させるためのカセットボンベ用コンロであって、燃焼部と、前記燃焼部を支持する筐体と、前記筐体に設けられた複数の接続口部と、前記筐体に設けられ、前記複数の接続口部より導入されるガスを前記燃焼部に導く内部配管と、一端部が少なくとも１つのカセットボンベからガスを受入れ可能に構成されると共に、他端部が前記接続口部に接続可能に構成された少なくとも１つの連結管とを備える。
【００１２】
第２の態様は、第１の態様に係るカセットボンベ用コンロであって、前記複数の接続口部が前記筐体の４方に設けられている。
【００１３】
第３の態様は、第１又は第２の態様に係るカセットボンベ用コンロであって、前記筐体に設けられ、前記燃焼部の火力調整を行うための複数のつまみ部をさらに備える。
【００１４】
第４の態様は、第３の態様に係るカセットボンベ用コンロであって、前記複数のつまみ部が前記筐体の４方に設けられている。
【発明の効果】
【００１５】
第１の態様に係るカセットボンベ用コンロによると、カセットボンベからのガスは、連結管から接続口部、内部配管を介して燃焼部に導かれるため、燃焼部とカセットボンベとを離して配設することができる。また、複数の接続口部が設けられているため、連結管の接続位置を変更することができる。
【００１６】
第２の態様によると、前記複数の接続口部が前記筐体の４方に設けられているため、連結管を筐体の４方いずれの方向にも引出すことができる。
【００１７】
第３の態様によると、つまみ部が複数設けられているため、操作の利便性に優れる。
【００１８】
第４の態様によると、前記複数のつまみ部が筐体の４方に設けられているため、つまみ部を筐体の４方いずれの方向からも操作できる。
【図面の簡単な説明】
【００１９】
【図１】カセットボンベ用コンロを示す概略平面図である。
【図２】カセットボンベ用コンロから受皿部を取外した状態を示す概略平面図である。
【図３】つまみ部連動機構の一例を示す説明図である。
【発明を実施するための形態】
【００２０】
以下、実施形態に係るカセットボンベ用コンロについて説明する。図１はカセットボンベ用コンロ２０を示す概略平面図であり、図２は同カセットボンベ用コンロ２０から受皿部２６を取外した状態を示す概略平面図である。
【００２１】
カセットボンベ用コンロ２０は、カセットボンベ１０から供給される可燃性ガスを燃焼させるためのものである。ここで、カセットボンベ１０は、円筒状の容器内にブタン等の可燃性燃料が高圧状態で封入されており、頭部の管を押すことで、内部の可燃性燃料が気化して外部に導出される、一般的なカセットボンベが想定される。
【００２２】
カセットボンベ用コンロ２０は、筐体２２と、燃焼部３０と、接続口部４０と、内部配管５０と、連結管７０とを備えている。
【００２３】
筐体２２は、筐体本体部２３と、受皿部２６とを備え、全体として扁平な筺状形状に形成されている。もっとも、筐体２２は、扁平な円筒状等、田の形状に形成されていてもよい。
【００２４】
筐体本体部２３は、金属等により形成された部材であり、上方が開口する略方形筺状に形成されている。この筐体本体部２３の中央部に、燃焼部３０が固定されている。
【００２５】
受皿部２６は、金属等により形成された部材であり、筐体本体部２３の上方開口を閉塞可能な方形板状に形成されている。受皿部２６の中央部には、開口２６ｈが形成されており、燃焼部３０は当該開口２６ｈを通じて外部に望んでいる。また、受皿部２６のうち開口２６ｈの周囲部分は、受皿部２６の外周部分よりも凹んでいる。また、受皿部２６の外周部分の複数箇所より受皿部２６の中央部に向けて延びるようにして、支持部２７（ごとくとも呼ばれる部分）が設けられている。複数の支持部２７によって、上記燃焼部３０の上方に、鍋、やかん、フライパン等が載置支持されるようになっている。
【００２６】
燃焼部３０は、バーナーとも呼ばれる部分であり、本燃焼部３０に供給された可燃性ガスが燃焼部３０のガス噴出口より噴出されて燃焼するようになっている。この燃焼部３０は、筐体本体部２３の内部中央部に溶接、ねじ止等によって一定位置及び一定姿勢で支持固定されることによって、筐体２２に支持されている。
【００２７】
接続口部４０は、筐体本体部２３の周囲の４つの側壁部２４のそれぞれに設けられている。ここでは、各接続口部４０は、各側壁部２４の外面に突出する姿勢で設けられており、外方から連結管７０を接続できるようになっている。各接続口部４０は、後述する連結管７０を着脱可能に接続可能に構成されている。かかる接続口部４０と連結管７０との接続は、接続口部４０にゴム等で形成された連結管７０の端部を外嵌めしてバンドで締付けることによって行ってもよいし、或は、一般的なガス用のソケットとプラグとの接続構造によって行ってもよい。なお、接続口部４０は、筐体本体部２３の周囲の４つの側壁部２４に設けられている必要はなく、例えば、２つ或は３つ設けられていてもよい。
【００２８】
また、筐体２２内には、複数の接続口部４０より導入される可燃性ガスを燃焼部３０に導く内部配管５０が設けられている。ここでは、内部配管５０は、各接続口部４０から燃焼部３０に至る複数の配管５１を備えている。各配管５１の途中には、流量調整弁５２及び逆止弁５３が設けられている。流量調整弁５２は、後述するつまみ部６０によって開度が調整されるようになっている。逆止弁５３は、接続口部４０から燃焼部３０へのガス流入のみを許容し、反対方向へのガス流入を抑制するように設けられている。
【００２９】
もっとも、複数の接続口部４０より導入される可燃性ガスが１つの経路にまとめられて燃焼部３０に導かれてもよい。この場合、逆止弁５３は、複数の接続口部４０に近い側で個別に対応して設けられるとよい。また、流量調整弁５２は、各接続口部４０別に設けられてもよいし、１つの経路にまとめられた部分に設けられてもよい。
【００３０】
また、筐体２２には、燃焼部３０の火力調整を行うためのつまみ部６０が設けられている。ここでは、つまみ部６０が複数設けられている例で説明するが、つまみ部６０は１つであってもよいし、又は、２つ又は３つの側壁部２４のみに設けられていてもよい。
【００３１】
ここでは、つまみ部６０は、筐体２２の筐体本体部２３の周囲の４つの側壁部２４に対応して設けられている。より具体的には、つまみ部６０は、側壁部２４であって接続口部４０の隣の位置に設けられている。つまみ部６０は、側壁部２４の外面に露出して回転操作可能に設けられている。側壁部２４の内面側には、流量調整弁５２が設けられており、つまみ部６０の回転操作に連動して、流量調整弁５２の開度が０（ガスを通さない状態）から最大開度（火力が最大の状態）まで調整されるようになっている。また、複数のつまみ部６０のうちの１つには、圧電素子を含む点火装置３７が組込まれており、つまみ部６０の回転操作に連動して燃焼部３０近傍に設けられた点火電極３８より火花を生じさせるようになっている。この火花により、燃焼部３０より噴出された可燃性ガスが燃焼するようになっている。
【００３２】
また、ここでは、次の構成によって複数のつまみ部６０が連動して回転操作されるようになっている。すなわち、図２及び図３に示すように、各側壁部２４の内面側に、各つまみ部６０に連動して回転可能な中継部材６４が設けられている。ここでは、中継部材６４は、側壁部２４の内面に配設された円板状の部材であり、つまみ部６０との軸部に対して相対回転不能に結合され、つまみ部６０と同期して同方向に回転するようになっている。また、隣合う中継部材６４同士が連結ワイヤー６５を介して連結されている。中継部材６４に対する連結ワイヤー６５の接続箇所は、つまみ部６０が初期状態（消火状態）にある状態で、上側部分同士及び下側部分同士とするとよい。なお、連結ワイヤー６５は、筐体本体部２３のコーナー部内側で、円柱状のガイド部材６６によって当該コーナー部に沿って曲るようにガイドされている。
【００３３】
そして、１つのつまみ部６０を点火方向Ａ（例えば、図３において左回転方向）に回転させると、１つ（上側）の連結ワイヤー６５が矢符Ａ方向に引張られ、他のつまみ部６０も点火方向Ａに回転する。また、１つのつまみ部６０を消火方向Ｂ（例えば、図３において右回転方向）に回転させると、他の１つ（下側）の連結ワイヤー６５が矢符Ｂ方向に引張られ、他のつまみ部６０も消火方向Ｂに回転する。これにより、複数のつまみ部６０のうちの１つを回転させると、他のつまみ部６０もこれに連動して同方向に同回転量回転する。従って、１つのつまみ部６０の操作によって点火装置３７を動作させて燃焼部３０を燃焼させることができる。また、１つのつまみ部６０の操作によって他のつまみ部６０を連動回転させて、各流量調整弁５２を同程度の開度となるように調整することができる。
【００３４】
なお、各つまみ部６０を連動させる構成は上記例に限られない。その他のリンク機構によって、つまみ部６０の動きを相互連動させてもよい。即ち、つまみ部６０の動きを連動させることが可能な各種機構を、つまみ部連動機構として採用することができる。
【００３５】
連結管７０は、ゴム等のガスチューブ或は金属製のガス管等によって構成されており、少なくとも１つのカセットボンベ１０から可燃性ガスを受入れ可能に構成されると共に、他端部が前記接続口部４０に接続可能に構成されている。ここでは、複数（２つ）のカセットボンベ１０が収容容器１２に収容されることで、当該複数のカセットボンベ１０からの燃焼ガスが１つの内部管１４にまとめられる。連結管７０の端部は、当該収容容器１２の内部管１４に連結されることで、カセットボンベ１０からの可燃性ガスを受入れ可能に構成されている。もっとも、連結管７０の一端部には、単一のカセットボンベ１０が連結される構成であってもよい。連結管７０の他端部と接続口部４０との接続には、上記したように、バンドを利用した構成、或は、ソケットとプラグとを利用した構成等を採用できる。この連結管７０は、必要に応じて複数準備される。
【００３６】
このように構成されたカセットボンベ用コンロ２０の使用方法について説明する。
【００３７】
まず、複数の接続口部４０のうちの少なくとも１つに連結管７０を接続する。どの接続口部４０に接続するかについては、カセットボンベ用コンロ２０の配設条件に応じて、連結管７０を引出しやすい方向、カセットボンベ１０の配置スペース等を考慮して、決定するとよい。
【００３８】
そして、複数のつまみ部６０のうちの１つを回転操作して、燃焼部３０より噴出される可燃性ガスを点火して燃焼させる。これにより、カセットボンベ用コンロによって鍋、やかん、フライパン等を加熱することができる。複数のつまみ部６０のうちのどれを回転操作するかについては、操作者の位置等に応じて都合のよいものを選択すればよい。
【００３９】
以上のように構成されたカセットボンベ用コンロ２０によると、カセットボンベ１０からの可燃性ガスは、連結管７０から接続口部４０、内部配管５０を通じて燃焼部３０に導かれる。このため、燃焼部３０とカセットボンベ１０とを離して配設することができる。これにより、燃焼部３０から噴出され燃焼する可燃性ガスによる熱、或は、当該燃焼部３０上に配設された鍋、やかん、フライパン等の調理器具からの熱が、カセットボンベ１０に伝わり難くなり、カセットボンベ１０の加熱を抑制することができる。
【００４０】
また、複数の接続口部４０が設けられているため、連結管７０の接続位置を変更することで、カセットボンベ用コンロ２０の設置場所条件等に応じて都合のよい接続口部４０に連結管７０を接続することができる。これにより、連結管７０の取り回しをうまく行える。特に、接続口部４０が筐体２２の周囲４方に設けられているため、連結管７０を筐体２２の周囲４方のいずれにも引出すことができ、より便利である。
【００４１】
しかも、つまみ部６０が複数設けられているため、筐体２２の複数方向から点火、火力調整操作を行うことができ、操作の利便性に優れる。
【００４２】
特に、つまみ部６０が筐体２２の周囲４方に設けられているため、筐体２２の周囲４方のいずれからも点火、火力調整操作を行うことができ、より操作の利便性に優れる。
【００４３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４４】
１０  カセットボンベ
２０  カセットボンベ用コンロ
２２  筐体
２４  側壁部
３０  燃焼部
４０  接続口部
５０  内部配管
６０  各つまみ部
７０  連結管
【図１】
2013002644.tif 000003
【図２】
2013002644.tif 000004
【図３】
2013002644.tif 000005
【手続補正書】
【提出日】平成23年12月27日(2011.12.27)
【手続補正１】
【補正対象書類名】明細書
【補正対象項目名】００１１
【補正方法】変更
【補正の内容】
【００１１】
上記課題を解決するため、第１の態様は、カセットボンベから供給されるガスを燃焼させるためのカセットボンベ用コンロであって、燃焼部と、前記燃焼部を支持する筐体と、前記筐体に設けられた複数の接続口部と、前記筐体に設けられ、前記複数の接続口部より導入されるガスを１つの前記燃焼部に導く内部配管と、一端部が少なくとも１つのカセットボンベからガスを受入れ可能に構成されると共に、他端部が前記接続口部に接続可能に構成された少なくとも１つの連結管とを備える。
【手続補正２】
【補正対象書類名】明細書
【補正対象項目名】００１２
【補正方法】変更
【補正の内容】
【００１２】
また、前記複数の接続口部が前記筐体の４方に設けられている。
【手続補正３】
【補正対象書類名】明細書
【補正対象項目名】００１３
【補正方法】変更
【補正の内容】
【００１３】
さらに、前記筐体に設けられ、前記１つの燃焼部の火力調整を前記筐体に対して複数方向から行うための複数のつまみ部をさらに備える。
【手続補正４】
【補正対象書類名】明細書
【補正対象項目名】００１４
【補正方法】変更
【補正の内容】
【００１４】
第２の態様は、第１の態様に係るカセットボンベ用コンロであって、前記複数のつまみ部が前記筐体の４方に設けられている。
【手続補正５】
【補正対象書類名】明細書
【補正対象項目名】００１６
【補正方法】変更
【補正の内容】
【００１６】
また、前記複数の接続口部が前記筐体の４方に設けられているため、連結管を筐体の４方いずれの方向にも引出すことができる。
【手続補正６】
【補正対象書類名】明細書
【補正対象項目名】００１７
【補正方法】変更
【補正の内容】
【００１７】
また、つまみ部が複数設けられているため、操作の利便性に優れる。
【手続補正７】
【補正対象書類名】明細書
【補正対象項目名】００１８
【補正方法】変更
【補正の内容】
【００１８】
第２の態様によると、前記複数のつまみ部が筐体の４方に設けられているため、つまみ部を筐体の４方いずれの方向からも操作できる。
【手続補正８】
【補正対象書類名】特許請求の範囲
【補正対象項目名】全文
【補正方法】変更
【補正の内容】
【特許請求の範囲】
【請求項１】
カセットボンベから供給されるガスを燃焼させるためのカセットボンベ用コンロであって、
燃焼部と、
前記燃焼部を支持する筐体と、
前記筐体に設けられた複数の接続口部と、
前記筐体に設けられ、前記複数の接続口部より導入されるガスを１つの前記燃焼部に導く内部配管と、
一端部が少なくとも１つのカセットボンベからガスを受入れ可能に構成されると共に、他端部が前記接続口部に接続可能に構成された少なくとも１つの連結管と、
を備え、
前記複数の接続口部が前記筐体の４方に設けられ、
前記筐体に設けられ、前記１つの燃焼部の火力調整を前記筐体に対して複数方向から行うための複数のつまみ部をさらに備えるカセットボンベ用コンロ。
【請求項２】
請求項１記載のカセットボンベ用コンロであって、
前記複数のつまみ部が前記筐体の４方に設けられている、カセットボンベ用コンロ。